(57)【要約】【課題】レンズ系の光軸に対する撮像素子の傾きの調整を精度よく、簡単に行うことができる撮像装置、及びその撮像装置の製造方法を提供する。【解決手段】被写体からの光束を結像させるためのレンズ系１を支持するレンズ鏡筒２と、レンズ系１により結像された像を電気信号に変換する撮像素子３を支持するマウント４とを係合する。この際、レンズ鏡筒２とマウント４との間にスペーサ７を配置することにより、マウント４に対してレンズ鏡筒２を傾けて、レンズ系１の光軸Ｌ１に対する撮像素子３の傾きθを補正する。【選択図】図１
2008113060.tif 000002
【特許請求の範囲】
【請求項１】
被写体からの光束を結像させるためのレンズ系を支持するレンズ鏡筒に、前記レンズ系により結像された像を電気信号に変換する撮像素子を支持するマウントが係合してある撮像装置において、
前記レンズ鏡筒と前記マウントとの間にスペーサを備えることを特徴とする撮像装置。
【請求項２】
前記マウントの前記レンズ鏡筒と対向する面に、前記スペーサを配置するためのスペーサ配置用溝が形成してあることを特徴とする請求項１に記載の撮像装置。
【請求項３】
前記スペーサ配置用溝は、前記撮像素子の中心を中心とする円形状に沿って形成してあることを特徴とする請求項２に記載の撮像装置。
【請求項４】
前記スペーサ配置用溝は、互いに径を異ならせて複数形成してあることを特徴とする請求項３に記載の撮像装置。
【請求項５】
複数の前記スペーサ配置用溝の溝幅は互いに等しいことを特徴とする請求項４に記載の撮像装置。
【請求項６】
前記レンズ鏡筒と前記マウントとの係合は、一方に設けられている係合溝と、他方に設けられている係合爪とが係合することにより行われていることを特徴とする請求項１乃至請求項５のいずれか１つに記載の撮像装置。
【請求項７】
前記スペーサは球体であることを特徴とする請求項１乃至請求項６のいずれか１つに記載の撮像装置。
【請求項８】
被写体からの光束を結像させるためのレンズ系を支持するレンズ鏡筒に、前記レンズ系により結像された像を電気信号に変換する撮像素子を支持するマウントを係合する工程を備える撮像装置の製造方法において、
前記レンズ鏡筒の基準面に対する前記レンズ系の傾き、及び前記マウントの基準面に対する前記撮像素子の傾きを求める工程と、
前記レンズ鏡筒と前記マウントを係合した時に生じる前記レンズ系の光軸に対する前記撮像素子の傾きを補正する位置にスペーサを配置する工程と
を備えることを特徴とする撮像装置の製造方法。
【発明の詳細な説明】
【技術分野】
【０００１】
本発明は、被写体からの光束を結像させるためのレンズ系を支持するレンズ鏡筒に、レンズ系により結像された像を電気信号に変換する撮像素子を支持するマウントが係合してある撮像装置、及びその撮像装置の製造方法に関する。
【背景技術】
【０００２】
近年、デジタルカメラや携帯電話等の写真撮影機能（撮像装置）を有する電子機器には、高解像度化に対する要求の高まりから、画素が非常に高密度に配列された撮像素子が使用されるようになってきている。このような撮像素子を用いて高解像度を実現する撮像装置では、従来の撮像素子を用いた低解像度の撮像装置と比較して、レンズ系の光軸に対する撮像素子の取り付けに対して高い精度が要求される。
【０００３】
図８は、従来例に係る撮像装置の構造を説明するための分解斜視図である。
【０００４】
被写体からの光束を結像させるためのレンズ系１０１と、レンズ系１０１を支持するレンズ鏡筒１０２と、レンズ系１０１により結像された像を電気信号に変換する撮像素子１０３と、撮像素子１０３を支持するマウント１０４とで構成されている。
【０００５】
また、レンズ鏡筒１０２には係合溝１０５が設けられ、マウント１０４には係合溝１０５と係合可能な係合爪１０６が設けられている。つまり、レンズ鏡筒１０２の係合溝１０５と、マウント１０４の係合爪１０６とを係合してレンズ鏡筒１０２とマウント１０４を連結することにより、レンズ系１０１の光軸に対して撮像素子１０３が配置される構成となっている。
【０００６】
このため、レンズ系１０１の光軸に対する撮像素子１０３の位置合わせの精度は、マウント１０４に対する撮像素子１０３の取付精度や、レンズ系１０１を支持するレンズ鏡筒１０２等の部品の加工精度により決定されることとなる。
【０００７】
図９は、図８の撮像装置において、レンズ鏡筒とマウントを係合した時の状態を示す概略断面図である。なお、断面部のハッチングは省略してある。
【０００８】
マウント１０４に対する撮像素子１０３の取付精度や、レンズ系１０１を支持するレンズ鏡筒１０２等の部品の加工精度の影響から、レンズ系１０１の光軸Ｌ１と撮像素子１０３との間に傾きθが発生している。具体的には、レンズ系１０１の光軸Ｌ１に対し撮像素子１０３の法線Ｌ２は矢符Ｓ方向にθ度傾いている。
【０００９】
このようなレンズ系１０１の光軸Ｌ１に対する撮像素子１０３の傾きθの発生は、レンズ系１０１の光軸Ｌ１に対する撮像素子１０３の取り付けに対して高い精度が要求される高解像度の撮像装置では、光学特性低下への大きな要因となる。
【００１０】
つまり、高解像度の撮像装置では、レンズ鏡筒１０２とマウント１０４の係合により、レンズ系１０１と撮像素子１０３の位置を合せるだけでは、レンズ系１０１の光軸Ｌ１に対して撮像素子１０３に芯ずれや傾きが生じるおそれがあり、要求された光学性能を満たすことは困難である。
【００１１】
このような課題を解決する手段として、撮像素子（ＣＣＤ素子）を支持するマウントとレンズ鏡筒との間に２つの調整ねじを配置した撮像装置が提案されている（特許文献１参照）。この撮像装置では、配置された２つの調整ねじのねじ込み程度を変えることにより、レンズ鏡筒に対するマウントの角度を変え、ＣＣＤ素子の傾きを補正することができる。
【００１２】
しかしながら、テストチャートの図形を撮像して確認を行いながら、調整ねじにより、マウントの角度調整を行うため、テストチャートに対するレンズ系の位置調整、調整ねじによるマウントの角度調整、画像確認および評価等、多くの工程が必要となり、図８の従来例に係る撮像装置の製造工程と比較して工程数や工程時間が大きく増加してしまうという問題があった。
【特許文献１】特開２００５−１１７２５３号公報
【発明の開示】
【発明が解決しようとする課題】
【００１３】
本発明はこのような状況に鑑みてなされたものであり、レンズ系を支持するレンズ鏡筒と撮像素子を支持するマウントの間にレンズ系の光軸に対する撮像素子の傾きを補正するスペーサを備えることにより、レンズ系の光軸に対する撮像素子の傾きが低減され、撮像装置の光学特性の低下が抑えられた撮像装置を提供することを目的とする。
【００１４】
また、本発明は、レンズ鏡筒の基準面に対する前記レンズ系の傾き、及びマウントの基準面に対する撮像素子の傾きを求める工程と、レンズ鏡筒とマウントを係合した時に生じるレンズ系の光軸に対する撮像素子の傾きを補正する位置にスペーサを配置する工程とを備えることにより、テストチャートを用いた傾きの補正を省略して簡単に光学特性の高い撮像装置を製造することができる撮像装置の製造方法を提供することを他の目的とする。
【課題を解決するための手段】
【００１５】
本発明に係る撮像装置は、被写体からの光束を結像させるためのレンズ系を支持するレンズ鏡筒に、前記レンズ系により結像された像を電気信号に変換する撮像素子を支持するマウントが係合してある撮像装置において、前記レンズ鏡筒と前記マウントとの間にスペーサを備えることを特徴とする。
【００１６】
この構成により、レンズ鏡筒とマウントとの間に備えるスペーサの位置を調整し、マウントに対してレンズ鏡筒を適度に傾けることにより、レンズ鏡筒とマウントを係合させた時に生じるレンズ系の光軸に対する撮像素子の傾きを補正することができる。つまり、レンズ系の光軸に対する撮像素子の傾きが低減され、撮像装置の光学特性の低下が抑えられた撮像装置とすることができる。
【００１７】
また、本発明に係る撮像装置では、前記マウントの前記レンズ鏡筒と対向する面に、前記スペーサを配置するためのスペーサ配置用溝が形成してあることを特徴とする。
【００１８】
この構成により、マウントに備えられたスペーサ配置用溝にスペーサを配置すると、レンズ系の光軸に対する撮像素子の傾きの補正を、精度よく安定して行うことができる。
【００１９】
また、本発明に係る撮像装置では、前記スペーサ配置用溝は、前記撮像素子の中心を中心とする円形状に沿って形成してあることを特徴とする。
【００２０】
この構成により、スペーサの位置をスペーサ配置用溝の円周方向に動かすことにより、レンズ系の光軸に対する撮像素子の傾きの方向に合せた調整が可能となる。つまり、あらゆる方向の傾きに対応してスペーサを配置させることができるから、レンズ系の光軸に対する撮像素子の傾きの補正を精度よく簡単に行うことができる。
【００２１】
また、本発明に係る撮像装置では、前記スペーサ配置用溝は、互いに径を異ならせて複数形成してあることを特徴とする。
【００２２】
この構成により、スペーサの位置をレンズ系の光軸に対する撮像素子の傾きの大きさ（角度）に合せて簡単に調整することができる。
【００２３】
例えば、スペーサを介さずにレンズ鏡筒とマウントを係合させた時に生じるレンズ系の光軸に対する撮像素子の傾きが大きい場合には、撮像素子の中心に近い位置にある（より径の小さい）スペーサ配置用溝にスペーサを配置し、小さい場合には、撮像素子の中心から離れた位置にある（より径の大きい）スペーサ配置用溝にスペーサを配置するといったように、スペーサを配置する位置を径方向で変えることにより、スペーサの寸法を変えずに傾きの大きさに合せた補正を行うことができる。よって、レンズ系の光軸に対する撮像素子の傾きの補正を、より精度よく簡単に行うことができる。
【００２４】
また、本発明に係る撮像装置では、複数の前記スペーサ配置用溝の溝幅は互いに等しいことを特徴とする。
【００２５】
この構成により、同一寸法のスペーサを用いて簡単に、レンズ系の光軸に対する撮像素子の傾きの補正を行うことができる。
【００２６】
また、本発明に係る撮像装置では、前記レンズ鏡筒と前記マウントとの係合は、一方に設けられている係合溝と、他方に設けられている係合爪とが係合することにより行われていることを特徴とする。
【００２７】
この構成により、パチン止めにより簡単にレンズ鏡筒にマウントを固定することができる。
【００２８】
また、本発明に係る撮像装置では、前記スペーサは球体であることを特徴とする。
【００２９】
この構成により、スペーサを回転移動させながら、簡単にスペーサの位置調整を行うことができる。つまり、レンズ系の光軸に対する撮像素子の傾きの補正を、より簡単に行うことができる。
【００３０】
また、本発明に係る撮像装置の製造方法は、被写体からの光束を結像させるためのレンズ系を支持するレンズ鏡筒に、前記レンズ系により結像された像を電気信号に変換する撮像素子を支持するマウントを係合する工程を備える撮像装置の製造方法において、前記レンズ鏡筒の基準面に対する前記レンズ系の傾き、及び前記マウントの基準面に対する前記撮像素子の傾きを求める工程と、前記レンズ鏡筒と前記マウントを係合した時に生じる前記レンズ系の光軸に対する前記撮像素子の傾きを補正する位置にスペーサを配置する工程とを備えることを特徴とする。
【００３１】
この構成により、レンズ鏡筒の基準面に対するレンズ系の傾き、及びマウントの基準面に対する撮像素子の傾きを求めてスペーサを配置すべき位置を決定し、レンズ鏡筒とマウントとの係合時に生じるレンズ系の光軸に対する撮像素子の傾きを補正する適確な位置にスペーサを配置することができるから、テストチャートの撮像による確認や評価等の工程を省略して簡単に傾きの補正を行うことができる。つまり、レンズ系の光軸に対する撮像素子の傾きが低減され、撮像装置の光学特性の低下が抑えられた撮像装置を簡単に製造することができる。
【発明の効果】
【００３２】
本発明に係る撮像装置によれば、レンズ系を支持するレンズ鏡筒と、撮像素子を支持するマウントとは、間にスペーサを介して係合されることとなるから、スペーサを配置する位置を調整してマウントに対してレンズ鏡筒を適度に傾けることにより、レンズ鏡筒とマウントを係合させた時に生じるレンズ系の光軸に対する撮像素子の傾きを補正することができる。つまり、レンズ系の光軸に対する撮像素子の傾きが低減され、撮像装置の光学特性の低下が抑えられた撮像装置とすることができる。
【００３３】
また、本発明に係る撮像装置によれば、マウントのレンズ鏡筒と対向する面にスペーサを配置するためのスペーサ配置用溝が形成してあるから、スペーサ配置用溝にスペーサを配置することにより、レンズ系の光軸に対する撮像素子の傾きの補正を、精度よく安定して行うことができる。
【００３４】
また、本発明に係る撮像装置によれば、スペーサ配置用溝は、撮像素子の中心を中心とする円形状に沿って形成してあるから、スペーサの位置をスペーサ配置用溝の円周方向に動かすことにより、レンズ系の光軸に対する撮像素子の傾きの方向に合せた調整が可能となる。つまり、あらゆる方向の傾きに対応してスペーサを配置させることができるから、レンズ系の光軸に対する撮像素子の傾きの補正を精度よく簡単に行うことができる。
【００３５】
また、本発明に係る撮像装置によれば、スペーサ配置用溝は、互いに径を異ならせて複数形成してあるから、スペーサの位置をレンズ系の光軸に対する撮像素子の傾きの大きさ（角度）に合せて簡単に調整することができる。
【００３６】
例えば、スペーサを介さずにレンズ鏡筒とマウントを係合させた時に生じるレンズ系の光軸に対する撮像素子の傾きが大きい場合には、撮像素子の中心に近い位置にある（より径の小さい）スペーサ配置用溝にスペーサを配置し、小さい場合には、撮像素子の中心から離れた位置にある（より径の大きい）スペーサ配置用溝にスペーサを配置するといったように、スペーサを配置する位置を径方向で変えることにより、スペーサの寸法を変えずに傾きの大きさに合せた補正を行うことができる。よって、レンズ系の光軸に対する撮像素子の傾きの補正を、より精度よく簡単に行うことができる。
【００３７】
また、本発明に係る撮像装置によれば、複数のスペーサ配置用溝の溝幅は互いに等しいから、同一寸法のスペーサを用いて簡単に、レンズ系の光軸に対する撮像素子の傾きの補正を行うことができる。
【００３８】
また、本発明に係る撮像装置によれば、レンズ鏡筒とマウントとの係合は、一方に設けられている係合溝と、他方に設けられている係合爪とが係合することにより行われているから、パチン止めにより簡単にレンズ鏡筒にマウントを係合することができる。
【００３９】
また、本発明に係る撮像装置によれば、スペーサは球体であるから、スペーサを回転移動させながら、簡単にスペーサの位置調整を行うことができる。つまり、レンズ系の光軸に対する撮像素子の傾きの補正を、より簡単に行うことができる。
【００４０】
また、本発明に係る撮像装置の製造方法によれば、レンズ鏡筒の基準面に対するレンズ系の傾き、及びマウントの基準面に対する撮像素子の傾きを求めてスペーサを配置すべき位置を決定し、レンズ鏡筒とマウントとの係合時に生じるレンズ系の光軸に対する撮像素子の傾きを補正する適確な位置にスペーサを配置することができるから、テストチャートの撮像による確認や評価等の工程を省略して簡単に傾きの補正を行うことができる。つまり、レンズ系の光軸に対する撮像素子の傾きが低減され、撮像装置の光学特性の低下が抑えられた撮像装置を簡単に製造することができる。
【発明を実施するための最良の形態】
【００４１】
以下、本発明の実施の形態について、図面を参照して説明する。
【００４２】
＜実施の形態１＞
本発明の実施の形態１に係る撮像装置について、図１〜図４を参照して以下に説明する。
【００４３】
図１は、本発明の実施の形態１に係る撮像装置の構造を示す分解斜視図である。
【００４４】
図２は、本発明の実施の形態１に係る撮像装置のマウントの構造を示す斜視図である。
【００４５】
図３は、本発明の実施の形態１に係る撮像装置において、スペーサを介さずにレンズ鏡筒とマウントを係合した時の状態を示す概略断面図である。なお、断面部のハッチングは省略してある。
【００４６】
図４は、本発明の実施の形態１に係る撮像装置において、スペーサを介してレンズ鏡筒とマウントを係合した時の状態を示す概略断面図である。なお、断面部のハッチングは省略してある。
【００４７】
本実施の形態に係る撮像装置は、被写体からの光束を結像させるためのレンズ系１と、レンズ系１を支持するレンズ鏡筒２と、レンズ系１により結像された像を電気信号に変換する撮像素子３と、撮像素子３を支持するマウント４と、レンズ鏡筒２とマウント４との間に介在されるスペーサ７とにより構成されている。
【００４８】
完成状態の撮像装置において、マウント４はレンズ鏡筒２に係合されている。また、マウント４とレンズ鏡筒２との係合は、レンズ鏡筒２の側面に設けられている係合溝５と、マウント４の側面に設けられている係合爪６とが係合することにより行われている。
【００４９】
つまり、レンズ鏡筒２にマウント４が、爪係止によるスナップフィット方式（パチン止め）により固定される構成となっている。なお、レンズ鏡筒２とマウント４の連結部分には、レンズ鏡筒２にマウント４をより強固に固定させるための接着剤が爪係止後に塗布されていてもよい。
【００５０】
ところで、レンズ鏡筒２とマウント４を間にスペーサ７を介さずに係合させると、マウント４に対する撮像素子３の取付精度や、レンズ鏡筒２等の部品の加工精度による影響から、レンズ系１の光軸Ｌ１に対して撮像素子３が傾いて配置されてしまうことがある。例えば、図３では、レンズ系１の光軸Ｌ１に対して撮像素子３の法線Ｌ２は、矢符Ｓの方向にθ°傾いている。このようなレンズ系１の光軸Ｌ１に対する撮像素子３の傾きθの発生は光学特性低下の要因となる。
【００５１】
本実施の形態に係る撮像装置では、レンズ鏡筒２とマウント４との間で、レンズ系１の光軸Ｌ１に対する撮像素子３の傾きθを補正する位置にスペーサ７が配置されている（図４参照）。具体的には、レンズ鏡筒２とマウント４との間にスペーサ７が配置されることにより、レンズ鏡筒２は、傾いた状態でマウント４に固定されており、レンズ系１の光軸Ｌ１と撮像素子３の法線Ｌ２がなす角θ（撮像素子３の傾きθ）が０°に近づけられている。
【００５２】
また、マウント４には、レンズ鏡筒２と対向する面にスペーサ７を配置するためのスペーサ配置用溝８が備えられている（図２参照）。つまり、スペーサ配置用溝８にスペーサ７を配置することにより、レンズ系１の光軸Ｌ１に対する撮像素子３の傾きθの補正を精度よく安定して行うことができる構成となっている。
【００５３】
また、スペーサ配置用溝８は、撮像素子３の中心Ｃを中心とする円形状に沿って形成されている。つまり、スペーサ７をスペーサ配置用溝８の円周方向（図２中矢符Ｘ１の方向）に動かすことにより、レンズ系１の光軸Ｌ１に対する撮像素子３のあらゆる傾きθの方向に合せたスペーサ７の位置調整を行うことができる構成となっている。
【００５４】
また、スペーサ７は球体（例えば、弾性球体）となっており、スペーサ７を回転移動させながら、簡単にスペーサ７の位置調整を行うことができる構成となっている。
【００５５】
また、スペーサ７の寸法は、レンズ系１の光軸Ｌ１に対する撮像素子３の傾きθの大きさ（角度）に合せて調整されている。つまり、寸法の大きいスペーサ７を用いるほど、マウント４に対してレンズ鏡筒２はより傾くこととなるから、スペーサ７を介さずにレンズ鏡筒２とマウント４を係合させた時（図３参照）に生じるレンズ系１の光軸Ｌ１に対する撮像素子３の傾きθが大きい撮像装置ほど、より寸法の大きいスペーサ７が用いられている。
【００５６】
また、本実施の形態に係る撮像装置の製造方法では、レンズ鏡筒２の基準面２Ｆに対するレンズ系１の傾き、及びマウント４の基準面４Ｆに対する撮像素子３の傾きを求める工程と、レンズ鏡筒２とマウント４との係合時に生じるレンズ系１の光軸Ｌ１に対する撮像素子３の傾きを補正する位置にスペーサ７を配置する工程を備え、スペーサ７を介してレンズ鏡筒２とマウント４を係合させている。
【００５７】
つまり、レンズ鏡筒２の基準面２Ｆに対するレンズ系１の傾き、及びマウント４の基準面４Ｆに対する撮像素子３の傾きを求めてスペーサ７を配置すべき位置を決定し、レンズ鏡筒２とマウント４との係合時に生じるレンズ系１の光軸Ｌ１に対する撮像素子３の傾きθを補正する適確な位置にスペーサ７を配置する構成となっており、テストチャートの撮像による確認や評価等の工程を省略して簡単に傾きθの補正を行うことができる構成となっている。
【００５８】
なお、レンズ鏡筒２の基準面２Ｆに対するレンズ系１の傾き、及びマウント４の基準面４Ｆに対する撮像素子３の傾きの測定は、それぞれ、偏芯測定機やチルトセンサ等を用いることによって、容易に求めることができる。
【００５９】
＜実施の形態２＞
本発明の実施の形態２に係る撮像装置について、図５〜図７を参照して以下に説明する。
【００６０】
図５は、本発明の実施の形態２に係る撮像装置の構造を示す分解斜視図である。
【００６１】
図６は、本発明の実施の形態２に係る撮像装置のマウントの構造を示す斜視図である。
【００６２】
図７は、本発明の実施の形態２に係る撮像装置において、スペーサを介してレンズ鏡筒とマウントを係合した時の状態を示す概略断面図である。なお、断面部のハッチングは省略してある。
【００６３】
本実施の形態に係る撮像装置の基本構成は、実施の形態１に係る撮像装置の基本構成とほぼ同様の構成となっている。つまり、本実施の形態に係る撮像装置は、被写体からの光束を結像させるためのレンズ系１と、レンズ系１を支持するレンズ鏡筒２と、レンズ系１により結像された像を電気信号に変換する撮像素子３と、撮像素子３を支持するマウント４と、レンズ鏡筒２とマウント４との間に介在されるスペーサ７とにより構成されている。  よって、実施の形態１に係る撮像装置と異なる点について、主に説明する。
【００６４】
本実施の形態に係る撮像装置では、マウント４に互いに径の異なる複数のスペーサ配置用溝８ａ，８ｂ，８ｃが形成されている（図６参照）。また、各々のスペーサ配置用溝８ａ，８ｂ，８ｃの溝幅Ｗは、互いに等しい大きさに設計されている。
【００６５】
つまり、レンズ系１の光軸に対する撮像素子３の傾きの大きさ（角度）に合せて、スペーサ７を配置するスペーサ配置用溝８ａ，８ｂ，８ｃを選択することができる構成となっている。具体的には、撮像素子３の中心Ｃからスペーサ７までの距離によってマウント４に対するレンズ鏡筒２の傾きの大きさは変化する（図７参照）から、スペーサ７をスペーサ配置用溝８ａ，８ｂ，８ｃの径方向（図６中矢符Ｘ２の方向）に移動させることで、スペーサ７の寸法を変えずにレンズ系１の光軸と撮像素子３の間の傾きを補正することができる構成となっている。
【００６６】
例えば、スペーサ７を介さずにレンズ鏡筒２とマウント４を係合させた時に生じるレンズ系１の光軸に対する撮像素子３の傾きが大きい場合には、撮像素子３の中心Ｃに近い位置にある（より径の小さい）スペーサ配置用溝８ｃにスペーサ７を配置し、小さい場合には、撮像素子３の中心Ｃから離れた位置にある（より径の大きい）スペーサ配置用溝８ａにスペーサ７を配置するといったように、スペーサ７を配置する位置を径方向（図６中矢符Ｘ２の方向）で変えることにより、スペーサ７の寸法を変えずに傾きの大きさに合せた補正を行うことができる構成となっている。
【図面の簡単な説明】
【００６７】
【図１】本発明の実施の形態１に係る撮像装置の構造を示す分解斜視図である。
【図２】本発明の実施の形態１に係る撮像装置のマウントの構造を示す斜視図である。
【図３】本発明の実施の形態１に係る撮像装置において、スペーサを介さずにレンズ鏡筒とマウントを係合した時の状態を示す概略断面図である。
【図４】本発明の実施の形態１に係る撮像装置において、スペーサを介してレンズ鏡筒とマウントを係合した時の状態を示す概略断面図である。
【図５】本発明の実施の形態２に係る撮像装置の構造を示す分解斜視図である。
【図６】本発明の実施の形態２に係る撮像装置のマウントの構造を示す斜視図である。
【図７】本発明の実施の形態２に係る撮像装置において、スペーサを介してレンズ鏡筒とマウントを係合した時の状態を示す概略断面図である。
【図８】従来例に係る撮像装置の構造を示す分解斜視図である。
【図９】図８の撮像装置において、レンズ鏡筒とマウントを係合した時の状態を示す概略断面図である。
【符号の説明】
【００６８】
１  レンズ系
２  レンズ鏡筒
２Ｆ  レンズ鏡筒の基準面
３  撮像素子
４  マウント
４Ｆ  マウントの基準面
５  係合溝
６  係合爪
７  スペーサ
８、８ａ、８ｂ、８ｃ  スペーサ配置用溝
Ｃ  撮像素子の中心（スペーサ配置用溝の円中心）
Ｌ１  レンズ系の光軸
Ｌ２  撮像素子の法線
Ｓ  傾きの方向
Ｗ  スペーサ配置用溝の溝幅
Ｘ１  円周方向
Ｘ２  径方向
【図１】
2008113060.tif 000003
【図２】
2008113060.tif 000004
【図３】
2008113060.tif 000005
【図４】
2008113060.tif 000006
【図５】
2008113060.tif 000007
【図６】
2008113060.tif 000008
【図７】
2008113060.tif 000009
【図８】
2008113060.tif 000010
【図９】
2008113060.tif 000011